(57)【要約】【課題】簡単で、安全に使用できる携帯型の粘着テープホルダを提供する。【解決手段】成形された台本体１０を備え、台本体１０の底部の一方の側部には、枢支軸１１が配置され、ホルダ本体１２は、底部に設けられた枢支溝１３を枢支軸１１に回動可能に嵌合することにより、台本体１０と接続される。ホルダ本体１２の一方の側面の中央には、巻回された粘着テープ１５が嵌設されるドラム１４が形成され、ホルダ本体１２の枢支溝１３から離れた位置には、カッター１６が配置される。ホルダ本体１２の底部の枢接構造により、粘着テープ１５を簡単に引き出して使用でき、使用した後は、簡単に収納することができる。【選択図】図１
0003154302.tif 000002
【実用新案登録請求の範囲】
【請求項１】
ホルダ本体の辺面を被覆し、底部の一方の側部に、枢支軸が配置される台本体と、
底部の一方の側部に、前記枢支軸に回動可能に嵌合される枢支溝が設けられ、中央に、粘着テープが嵌設される突出したドラムが形成され、上端の一方の側部には、カッターが配置され、カッターの前縁には、凹陥した凹弧部が形成されるホルダ本体と、から構成され、
巻回した粘着テープを前記ホルダ本体のドラムに嵌設配置した後、前記ホルダ本体の枢支溝を台本体の枢支軸に嵌合してなることを特徴とする粘着テープホルダ。
【請求項２】
前記ホルダ本体の上端の一方の側部に配置されるカッターは、ホルダ本体と直接一体成形されることを特徴とする請求項１記載の粘着テープホルダ。
【請求項３】
前記ホルダ本体の一方の辺面には、前記粘着テープ側面を被覆する側面板が一体成形されてなることを特徴とする請求項１記載の粘着テープホルダ。
【請求項４】
前記台本体は、両側辺上に前記粘着テープを保護する側面板が配置されることにより、筐体状に構成されてなることを特徴とする請求項１記載の粘着テープホルダ。
【請求項５】
前記ホルダ本体の背面中段に、Ｃ形の凹溝または突出した板体を形成することにより、前記枢支軸を軸心として前記ホルダ本体を回動させる際の指掛け部としてなることを特徴とする請求項１記載の粘着テープホルダ。
【考案の詳細な説明】
【技術分野】
【０００１】
本考案は、粘着テープホルダに関し、射出成形されたホルダ本体を備え苗、ホルダ本体は、中段に、粘着テープが嵌設される突出したドラムが設けられ、底部の一方の端部に、台本体の底端の枢支軸に回動可能に嵌合される枢支溝が設けられ、枢支軸を軸心として粘着テープが嵌設されたホルダ本体全体を回動させることにより、粘着テープを簡単に取り出して使用したり、収納することができ、さらに、ホルダ本体の上端の一方の側部に配置されたカッターにより、取り出した粘着テープを直接切断することができるため、安全で、実用的である粘着テープホルダに関する。
【背景技術】
【０００２】
一般によく見られる粘着テープホルダは、卓上固定型から携帯型まで多種多様である。しかし、その構造は、開放式のものが多い。図９を参照する。図９は、従来の携帯型の粘着テープホルダを示す斜視図である。本体２０は、中間が平板面により接続された２枚の連続体からなり、折り曲げて組立てることにより、底部に平面が形成される。底部の一方の端部には、連続した鋸歯状のカッター２１が設けられる。２つの対向する本体２０に相対して嵌合するように形成された凹凸構造により、粘着テープ２２が嵌設されるドラムが形成される。ドラムに嵌設された粘着テープ２２を引き出した後、カッター２１により、切断する。この従来の連続体である本体２０からなる粘着テープホルダの構造は、各辺が外部に露出した構造になっており、粘着テープ２２を切断するカッター２１の凹弧部も外部に露出している。この構造の問題は、粘着テープ２２をドラムに嵌設した後、粘着テープ２２を被覆して保護するものがないため、破損したり、汚れたりしやすいことにある。従って、安全で衛生的に使用することができない。
【０００３】
また、従来技術において、複数の色の粘着テープを同時に使用することができる粘着テープホルダが存在する。図１０および図１１を参照する。図１０および図１１に示すように、粘着テープホルダは、粘着テープ３２を被覆する蓋体３０を備える。蓋体３０の内部の中央には、ドラム３１が固定され、複数の色の粘着テープ３２がドラム３１に１つずつ嵌設される。各粘着テープ３２の間には、はめ輪３３が配置されることにより、各粘着テープ３２は、ドラム３１にそれぞれ分離、独立して嵌設される。蓋体３０の側面は、側面板３４により、封止される。蓋体３０の底部の一方の側部には、カッター３５が配置される。カッター３５の前縁には、凹溝３６が形成される。凹溝３６の底部と、粘着テープ３２が嵌設される蓋体３０の内部の空間と、が連通されることにより、粘着テープ３２の引き出し口が形成される。蓋体３０のカッター３５が配置される面上のカッター３５から離れた位置には、粘着テープ３２を引き出した後、位置決めされる粗面３７が設けられる。この粘着テープホルダは、蓋体３０および側面板３４により、粘着テープ３２が被覆されるため、衛生的である。しかし、内部のドラム３１に嵌設された粘着テープ３２を使い終わった後、新しい粘着テープに交換するとき、交換したい色の粘着テープ３２より前方に嵌設された他の色の粘着テープ３２を全て取り出し、新しい粘着テープを嵌設した後、他の色の粘着テープ３２を再び順番に嵌設する必要があるため、非常に不便である上、実用的ではなかった。従って、従来の粘着テープホルダを便利で、安全で、衛生的に使用できるようにするには、改良が必要であった。
【０００４】
本考案の考案者は、従来の粘着テープホルダが安全に使用できず、粘着テープの交換を簡単に行うことができない欠点に鑑み、研究を重ね、ついに、本考案の粘着テープホルダを案出した。
【先行技術文献】
【特許文献】
【０００５】
【特許文献１】特開２００１−３１０８６１号公報
【特許文献２】特開平１０−４４０８８号公報
【考案の概要】
【考案が解決しようとする課題】
【０００６】
本考案の目的は、粘着テープが嵌設されるホルダ本体が粘着テープを被覆するため、粘着テープを衛生的で、安全に使用することができ、また、ホルダ本体が台本体に回動可能に接続されることにより、粘着テープを取り出して使用したり、収納したりする作業を簡単に行うことができ、さらに、複数の色の粘着テープを配置するとき、その組合せを簡単に変更することができる上、各色の粘着テープを独立して取り出して使用することができるため、安全で、実用的である粘着テープホルダを提供することにある。
【課題を解決するための手段】
【０００７】
上述の課題を解決するために、請求項１の考案は、粘着テープのホルダ本体の辺面を被覆し、底部の一方の側部に、枢支軸が配置される台本体と、底部の一方の側部に、枢支軸に回動可能に嵌合される枢支溝が設けられ、中央に、巻回された粘着テープが嵌設される突出したドラムが形成され、上端の一方の側部には、カッターが配置され、カッターの前縁には、凹陥した凹弧部が形成されるホルダ本体と、からなり、粘着テープをホルダ本体に配置した後、ホルダ本体を適度な傾斜角度に回動して外部に引き出すことにより、粘着テープを簡単に引き出して切断することができ、使用した後は、台本体の対応する位置に押し戻すことにより、簡単で、安全に使用することができることを特徴とする粘着テープホルダである。
【０００８】
請求項２の考案は、ホルダ本体の上端の一方の側部には、粘着テープを切断するカッターがが直接一体成形されることを特徴とする請求項１記載の粘着テープホルダである。
【０００９】
請求項３の考案は、ホルダ本体の一方の辺面には、粘着テープの側面を覆う側面板が一体成形され、粘着テープが安全に収納されることを特徴とする請求項１記載の粘着テープホルダである。
【００１０】
請求項４の考案は、台本体は、両側辺上に側面板が配置されることにより、筐体状に構成され、粘着テープを保護することを特徴とする請求項１記載の粘着テープホルダである。
【００１１】
請求項５の考案は、ホルダ本体の上面の中段に、Ｃ形の凹溝または突出した板体が形成されることにより、枢支軸を軸心としてホルダ本体を回動させる際の指掛けとして、外側に引き出す操作を容易にすることができることを特徴とする請求項１記載の粘着テープホルダである。
【考案の効果】
【００１２】
台本体に配置された枢支軸を軸心とし、ホルダ本体を回動させることにより、ホルダ本体に嵌設された粘着テープを取り出すとき、簡単に引き出して使用することができる上、粘着テープの交換を簡単に行うことができるため、従来の粘着テープホルダにおける、安全性が低く、実用的でないという欠点を解決できた。
【図面の簡単な説明】
【００１３】
【図１】本考案の第１実施形態による粘着テープホルダを示す分解斜視図である。
【図２】本考案の第１実施形態による粘着テープホルダを示す斜視図である。
【図３】本考案の第１実施形態による粘着テープホルダの使用状態を示す断面図である。
【図４】本考案の第２実施形態による粘着テープホルダを示す分解斜視図である。
【図５】図４の粘着テープホルダのホルダ本体を収納した状態を示す断面図である。
【図６】図４の粘着テープホルダのホルダ本体を引き出した状態を示す断面図である。
【図７】本考案の第３実施形態による粘着テープホルダを示す分解斜視図である。
【図８】図７の粘着テープホルダの一ホルダ本体を引き出した状態を示す斜視図である。
【図９】従来の粘着テープホルダを示す斜視図である。
【図１０】他の従来の粘着テープホルダを示す分解斜視図である。
【図１１】図１０の組立後の状態を示す斜視図である。
【考案を実施するための形態】
【００１４】
本考案の目的、特徴および効果を示す実施形態を図面に沿って詳細に説明する。
【００１５】
（第１実施形態）
図１〜図３を参照する。図１〜図３に示すように、本考案の第１実施形態による粘着テープホルダは、予め成形された台本体１０を備え、粘着テープホルダの辺面を被覆する構造となっている。台本体１０の一方の側部には、枢支軸１１が配置される。枢支軸１１には、予め成形されたホルダ本体１２が回動可能に接続される。ホルダ本体１２は、実際の必要に応じ、１つまたは複数個配列される。ホルダ本体１２の底部の一方の側部には、枢支軸１１に回動可能に嵌合される枢支溝１３が設けられる。ホルダ本体１２の中央部分には、粘着テープ１５を簡単に嵌設することができる突出したドラム１４が形成される。ホルダ本体１２の上端の一方の側部には、カッター１６が配置される。カッター１６は、ホルダ本体１２と一体成形することもできる。カッター１６は、鋸歯状を呈し、粘着テープ１５の粘着面を引き出した後、簡単に切断することができるため、粘着テープ１５を安全に使用することができる。粘着テープ１５を安全で、安定的に配置するために、通常、ホルダ本体１２の一方の側面には、封止板が直接成形され、最も外側には、側面板１７が配置されて封止される。カッター１６の前縁には、凹陥した粘着テープ１５の取り出し口が形成される。以上の構造により、粘着テープホルダを組み立てた後、図３に示すように、枢支軸１１を軸心とし、ホルダ本体１２を簡単に外側に適当な角度回動させることができるため、粘着テープ１５の取り出しおよび切断を簡単に行うことができる。粘着テープ１５を使用した後、ホルダ本体１２を直接、台本体１０の対応する位置に復位させることにより、簡単で、安全に収納することができる。
【００１６】
（第２実施形態）
図４を参照する。図４は、本考案の第２実施形態を示す分解斜視図である。本実施形態による台本体１０は、台体の両側辺上に側面板が配置され、開口部を具える筐体状に構成される。開口部の底部には、枢支軸１１が形成され、ホルダ本体１２の底端部の枢支溝１３が枢支軸１１に回動可能に嵌合される。ホルダ本体１２の辺面の中段には、Ｃ形の凹溝１８または突出した板体が設けられ、ホルダ本体１２を底部の枢支溝１３に嵌合して枢支軸１１を軸心として外側に回動させる際の指掛け部として、粘着テープ１５を取り出すのに便利になっている。粘着テープ１５は、ホルダ本体１２の辺面の突出したドラム１４に嵌設される。カッター１６の内縁には、凹弧部１９が形成されるため、粘着テープ１５がドラム１４に嵌設された後、粘着テープ１５の一端を凹弧部１９から引き出し、簡単に切断することができる。粘着テープ１５を使用した後、ホルダ本体１２全体を台本体１０内部に押し戻すと、鋸歯状のカッター１６の先端部も台本体１０の内部に収納され、保護される。即ち、粘着テープ１５が汚れるのを防止できる上、カッター１６を安全に収納することができるため、本実施形態の粘着テープホルダは、衛生的で、安全で、実用的である。
【００１７】
（第３実施形態）
図７および図８を参照する。図７は、本考案の第３実施形態による粘着テープホルダを示す分解斜視図である。図８は、図７の粘着テープホルダの一ホルダ本体を引き出した状態を示す斜視図である。図７および図８に示すように、本実施形態による粘着テープホルダの台本体１０は、幅が広く、大型であるため、複数の色の粘着テープを配置することができる。ホルダ本体１２は、台本体１０の底部の枢支軸１１により位置決めされることにより、配列される。これにより、各粘着テープ１５を独立して配置し、取り出すことができる。粘着テープ１５を新しいものに交換するとき、交換が必要な粘着テープ１５のみを独立して交換することができるため、他の粘着テープ１５に干渉されることがない。また、側面板が外蓋となり、ホルダ本体１２を被覆するため、粘着テープ１５およびカッター１６を安全に保護することができる。特に、医療上使用される粘着テープ１５を携帯して使用する場合、清潔で、安全に使用することができ、粘着テープ１５を取り出すときのみ、粘着テープ１５が外部に引き出され、使用しないときは、安全に収納することができるため、極めて実用的で、安全で、衛生的である。
【００１８】
以上に示す本考案の各実施形態において、粘着テープ１５が配置されるホルダ本体１２の設計は、同一の設計とすることができる。また、ホルダ本体１２を被覆する台本体１０は、簡単な構造を採用することができる。即ち、図７に示すように、筐体を形成し、内部に骨組み状の枠接構造を配置すればよい。また、成形コストおよび携帯性を考慮し、１つの枢支軸１１により、ホルダ本体１２を回動可能に接続し、粘着テープ１５を独立して変移させ、便利に取り出すことができればよい。これにより、粘着テープホルダの外観をさらに美しくすることができる上、実用的で、安全で、衛生的な粘着テープホルダを提供することができる。本考案の構造は、従来の各種の粘着テープホルダには見られないものであり、その構造は、実用的で、安全で、衛生的である。
【００１９】
以上のように、本考案の粘着テープホルダの構造は、枢支軸を介した簡単な位置決め構造により、ホルダ本体と粘着テープとを一体に引き出すことができるため、安全で、便利に、粘着テープを取り出して使用したり、収納したりすることができる。さらに、複数の色の粘着テープを配置して使用するとき、構造が簡単であるため、生産コストを低減することができ、現代人の需要を満たすことができる。
【符号の説明】
【００２０】
１０  台本体
１１  枢支軸
１２  ホルダ本体
１３  枢支溝
１４  ドラム
１５  粘着テープ
１６  カッター
１７  側面板
１８  凹溝
１９  凹弧部
２０  本体
２１  カッター
２２  粘着テープ
３０  蓋体
３１  ドラム
３２  粘着テープ
３３  はめ輪
３４  側面板
３５  カッター
３６  凹溝
３７  粗面
【図１】
0003154302.tif 000003
【図２】
0003154302.tif 000004
【図３】
0003154302.tif 000005
【図４】
0003154302.tif 000006
【図５】
0003154302.tif 000007
【図６】
0003154302.tif 000008
【図７】
0003154302.tif 000009
【図８】
0003154302.tif 000010
【図９】
0003154302.tif 000011
【図１０】
0003154302.tif 000012
【図１１】
0003154302.tif 000013